(57)【要約】      （修正有）【課題】球状物の収容に適し、開閉蓋部材の開閉操作も非常に簡単に行うことができる収容箱を提供する。【解決手段】箱本体部１０４と、箱本体部１０４にスライド自在に設けられた操作部１０５と、箱本体部１０４の開口側を開閉するための開閉蓋部１０６とを備えた収容箱。開閉蓋部１０６は、内側の内側蓋部１４６と、外側の外側蓋部１４８とを有し、内側蓋部１４６の基部は箱本体部１０４の開口側に接続され、外側蓋部１４８の基部は操作部１０５の開口側に接続され、内側蓋部１４６の先端部と外側蓋部１４８の先端部が相互に接続されている。操作部１０５を閉方向に操作すると、内側蓋部１４６と外側蓋部１４８とが相互に近接する方向に移動して閉状態となり、この操作部１０５を開方向に操作すると、内側蓋部１４６と外側蓋部１４８とが相互に離隔する方向に移動して開状態となる。【選択図】図９
2018070189.tif 000002
【特許請求の範囲】
【請求項１】
収容空間を規定する箱本体部と、前記箱本体部の外側にスライド自在に設けられる操作部と、前記箱本体部の開口側を開閉するための開閉蓋部と、を備えており、
前記開閉蓋部は、内側に位置する内側蓋部と、前記内側蓋部の外側に位置する外側蓋部とを有し、前記内側蓋部の基部は前記箱本体部の開口側に接続され、前記外側蓋部の基部は前記操作部の開口側に接続され、前記内側蓋部の先端部と前記外側蓋部の先端部が相互に接続されており、
前記操作部を前記箱本体部に被せる方向に操作すると、前記内側蓋部と前記外側蓋部とが相互に近接する方向に移動され、それらの先端部が内側に張り出して前記箱本体部の開口側が閉塞され、また前記操作部を前記箱本体部から引き出す方向に操作すると、前記内側蓋部と前記外側蓋部とが相互に離隔する方向に移動され、それらの先端部が外側に後退して前記箱本体部の開口側が開放されることを特徴とする収容箱。
【請求項２】
収容空間を規定する箱本体部と、前記箱本体部の外側にスライド自在に設けられる操作部と、前記箱本体部の開口側を開閉するための内側蓋部及び外側蓋部を有する開閉蓋部とを備えた容器を製作する収容箱の製作方法であって、
前記内側蓋部の基部を前記箱本体部の開口側から内折りし、前記外側蓋部の先端部を前記内側蓋部の先端部から外折りし、前記操作部を前記外側蓋部の基部から外折りし、前記箱本体部、前記開閉蓋部及び前記操作部を一つのシート状材から形成することを特徴とする収容箱の製作方法。
【請求項３】
収容空間を規定する箱本体部と、前記箱本体部を開閉するための開閉蓋部と、を備えており、
前記開閉蓋部は、内側に位置する内側蓋部と、前記内側蓋部の外側に位置する外側蓋部と、前記内側蓋部の先端部と前記外側蓋部の先端部とを接続する先端接続部とを有し、前記外側蓋部の基部が前記箱本体部の開口側に接続され、前記内側蓋部の基部が前記容器本体の開口側に貼付されており、
更に、前記箱本体部には、内側に突出する内突部及び前記開閉蓋部を開放操作するための操作切欠きが設けられ、前記開閉蓋部には、外側に突出する外突部が設けられており、
前記開閉蓋部を閉方向に移動させると、前記開閉蓋部の前記内側蓋部及び前記外側蓋部が前記箱本体部の開口側を閉塞するとともに、前記開閉蓋部側の前記外突部と前記箱本体部側の内突部とが相互に係合し、また前記箱本体部の前記操作切欠きを通して前記開閉蓋部の前記先端接続部を開方向に移動させると、前記開閉蓋部側の前記外突部と前記箱本体部側の前記内突部との係合状態が解除されるとともに、前記開閉蓋部材の前記内側蓋部及び前記外側蓋部が前記箱本体部の開口側を開放することを特徴とする収容箱。
【請求項４】
収容空間を規定する箱本体部と、前記箱本体部の開口側を開閉するための開閉蓋部と、を備え、前記開閉蓋部は、内側蓋部と、前記内側蓋部の外側に位置する外側蓋部と、前記内側蓋部及び前記外側蓋部を接続する先端接続部とを有する容器を製作する収容箱の製作方法であって、
前記外側蓋部の基部を前記箱本体部の開口側から内折りし、前記先端接続部の上側部を前記外側蓋部の先端部から内折りし、前記先端接続部の下側部から前記内側蓋部の先端部を内折りし、前記内側蓋部の基部を前記箱本体部に貼付し、
また、前記箱本体部の開口側に一対の切り込みを入れて折返し部を設け、前記折返し部を内折りして前記箱本体部の開口側に前記開閉蓋部を開放操作するための操作切欠き及び内側に突出する内突部を形成し、更に前記開閉蓋部の前記先端接続部と前記内側蓋部との接続部の一部を切断して外側に突出する外突部を形成することを特徴とする収容箱の製作方法。
【請求項５】
収容空間を規定する内側箱本体部と、前記内側箱本体部を覆う外側箱本体部とを備え、前記内側箱本体部には、外側に突出する外突部が設けられ、前記外側箱本体部には、その下部に内側に突出する第１内突部が設けられているとともに、その上部に内側に突出する第２内突部が設けられており、
前記内側箱本体部を収納方向に移動させると、前記内側箱本体部の底部が前記外側箱本体部側の前記第１内突部に当接して前記内側箱本体部が収納状態に保持され、また前記内側箱本体部を引出し方向に移動させると、前記内側箱本体部側の前記外突部が前記外側箱本体部側の前記第２内突部に当接して前記内側箱本体部が引出し状態に保持されることを特徴とする収容箱。
【請求項６】
収容空間を規定する内側箱本体部と、前記内側箱本体部を覆う外側箱本体部とを備えた収容箱を製作する収容箱の製作方法であって、
前記外側箱本体部の底壁部を内折りし、前記底壁部の先端部に設けられた底貼付部を内折りすることにより第１内突部が形成され、また前記外側箱本体部の開口側に設けられた上貼付部を内折りすることにより第２内突部が形成され、また前記外側箱本体部の一部を切断した切断部を外折りすることにより、前記内側蓋部側の前記第２内突部に対応する外突部が形成されることを特徴とする収容箱の製作方法。
【発明の詳細な説明】
【技術分野】
【０００１】
本発明は、収容物を収容するための収容箱及びその製作方法に関する。
【背景技術】
【０００２】
収容物を収容するための収容箱として各種のものが実用に供されている。この収容箱の代表的なものの一つでは、例えば、箱本体部の開口側に開閉蓋部が接続され、この開閉蓋部の先端部に挿入部が接続され、かかる開閉蓋部及び挿入部が箱本体部と一体的に形成されている。この収容箱においては、開閉蓋部を閉方向に移動させて挿入部を箱本体内に挿入すると、開閉蓋部が箱本体部の開口側を覆って閉状態に保持され、また開閉蓋部を開方向に移動させて挿入部を箱本体部から外すと、開閉蓋部が箱本体の開口側を開放して開状態に保持される。また、開閉蓋部の開操作を容易にするために、箱本体部の開口側に操作開口が設けられたものも存在する。
【発明の概要】
【発明が解決しようとする課題】
【０００３】
しかし、このような従来の収容箱では、次の通りの問題がある。第１に、収容物がゴルフボールのような球状物の収容に適してなく、また開閉蓋部の開閉操作も充分に簡単ではない。第２に、開閉蓋部の開閉操作を例えば片手でもって簡単に行うことができない。第３に、箱本体部に収容された収容物の取出しが充分に容易でないという問題がある。
【０００４】
本発明の第１の目的は、球状物の収容に適し、開閉蓋部材の開閉操作も非常に簡単に行うことができる収容箱を提供することである。
【０００５】
また、本発明の第２の目的は、開閉蓋部の開閉操作を片手で簡単に行うことができるとともに、その閉状態の保持を確実に行うことができる収容箱を提供することである。
【０００６】
更に、本発明の第３の目的は、箱本体部に収容された収容物の取出しを非常に簡単に行うことができる収容箱を提供することである。
【課題を解決するための手段】
【０００７】
本発明の請求項１に記載の収容箱は、収容空間を規定する箱本体部と、前記箱本体部の外側にスライド自在に設けられる操作部と、前記箱本体部の開口側を開閉するための開閉蓋部と、を備えており、
前記開閉蓋部は、内側に位置する内側蓋部と、前記内側蓋部の外側に位置する外側蓋部とを有し、前記内側蓋部の基部は前記箱本体部の開口側に接続され、前記外側蓋部の基部は前記操作部の開口側に接続され、前記内側蓋部の先端部と前記外側蓋部の先端部が相互に接続されており、
前記操作部を前記箱本体部に被せる方向に操作すると、前記内側蓋部と前記外側蓋部とが相互に近接する方向に移動され、それらの先端部が内側に張り出して前記箱本体部の開口側が閉塞され、また前記操作部を前記箱本体部から引き出す方向に操作すると、前記内側蓋部と前記外側蓋部とが相互に離隔する方向に移動され、それらの先端部が外側に後退して前記箱本体部の開口側が開放されることを特徴とする。
【０００８】
また、本発明の請求項２に記載の収容箱の製作方法は、収容空間を規定する箱本体部と、前記箱本体部の外側にスライド自在に設けられる操作部と、前記箱本体部の開口側を開閉するための内側蓋部及び外側蓋部を有する開閉蓋部とを備えた容器を製作する収容箱の製作方法であって、
前記内側蓋部の基部を前記箱本体部の開口側から内折りし、前記外側蓋部の先端部を前記内側蓋部の先端部から外折りし、前記操作部を前記外側蓋部の基部から外折りし、前記箱本体部、前記開閉蓋部及び前記操作部を一つのシート状材から形成することを特徴とする。
【０００９】
また、本発明の請求項３に記載の収容箱は、収容空間を規定する箱本体部と、前記箱本体部を開閉するための開閉蓋部と、を備えており、
前記開閉蓋部は、内側に位置する内側蓋部と、前記内側蓋部の外側に位置する外側蓋部と、前記内側蓋部の先端部と前記外側蓋部の先端部とを接続する先端接続部とを有し、前記外側蓋部の基部が前記箱本体部の開口側に接続され、前記内側蓋部の基部が前記容器本体の開口側に貼付されており、
更に、前記箱本体部には、内側に突出する内突部及び前記開閉蓋部を開放操作するための操作切欠きが設けられ、前記開閉蓋部には、外側に突出する外突部が設けられており、
前記開閉蓋部を閉方向に移動させると、前記開閉蓋部の前記内側蓋部及び前記外側蓋部が前記箱本体部の開口側を閉塞するとともに、前記開閉蓋部側の前記外突部と前記箱本体部側の内突部とが相互に係合し、また前記箱本体部の前記操作切欠きを通して前記開閉蓋部の前記先端接続部を開方向に移動させると、前記開閉蓋部側の前記外突部と前記箱本体部側の前記内突部との係合状態が解除されるとともに、前記開閉蓋部材の前記内側蓋部及び前記外側蓋部が前記箱本体部の開口側を開放することを特徴とする。
【００１０】
また、本発明の請求項４に記載の収容箱の製作方法は、収容空間を規定する箱本体部と、前記箱本体部の開口側を開閉するための開閉蓋部と、を備え、前記開閉蓋部は、内側蓋部と、前記内側蓋部の外側に位置する外側蓋部と、前記内側蓋部及び前記外側蓋部を接続する先端接続部とを有する容器を製作する収容箱の製作方法であって、
前記外側蓋部の基部を前記箱本体部の開口側から内折りし、前記先端接続部の上側部を前記外側蓋部の先端部から内折りし、前記先端接続部の下側部から前記内側蓋部の先端部を内折りし、前記内側蓋部の基部を前記箱本体部に貼付し、
また、前記箱本体部の開口側に一対の切り込みを入れて折返し部を設け、前記折返し部を内折りして前記箱本体部の開口側に前記開閉蓋部を開放操作するための操作切欠き及び内側に突出する内突部を形成し、更に前記開閉蓋部の前記先端接続部と前記内側蓋部との接続部の一部を切断して外側に突出する外突部を形成することを特徴とする。
【００１１】
また、本発明の請求項５に記載の収容箱は、収容空間を規定する内側箱本体部と、前記内側箱本体部を覆う外側箱本体部とを備え、前記内側箱本体部には、外側に突出する外突部が設けられ、前記外側箱本体部には、その下部に内側に突出する第１内突部が設けられているとともに、その上部に内側に突出する第２内突部が設けられており、
前記内側箱本体部を収納方向に移動させると、前記内側箱本体部の底部が前記外側箱本体部側の前記第１内突部に当接して前記内側箱本体部が収納状態に保持され、また前記内側箱本体部を引出し方向に移動させると、前記内側箱本体部側の前記外突部が前記外側箱本体部側の前記第２内突部に当接して前記内側箱本体部が引出し状態に保持されることを特徴とする。
【００１２】
更に、本発明の請求項６に記載の収容箱の製作方法は、収容空間を規定する内側箱本体部と、前記内側箱本体部を覆う外側箱本体部とを備えた収容箱を製作する収容箱の製作方法であって、
前記外側箱本体部の底壁部を内折りし、前記底壁部の先端部に設けられた底貼付部を内折りすることにより第１内突部が形成され、また前記外側箱本体部の開口側に設けられた上貼付部を内折りすることにより第２内突部が形成され、また前記外側箱本体部の一部を切断した切断部を外折りすることにより、前記内側蓋部側の前記第２内突部に対応する外突部が形成されることを特徴とする。
【発明の効果】
【００１３】
本発明の請求項１に記載の収容箱及び請求項２に記載の収容箱の製作方法によれば、箱本体部の開口側を開閉するための開閉蓋部は、内側蓋部と、この内側蓋部の外側に位置する外側蓋部とを有し、内側蓋部の基部は箱本体部の開口側に接続され、外側蓋部の基部は操作部の開口側に接続され、内側蓋部及び外側蓋部の先端部が相互に接続されているので、おり、操作部を箱本体部に被せる方向に動かすと、内側蓋部と外側蓋部とが相互に近接する方向に移動されて箱本体部の開口側が閉塞され、また操作部を箱本体部から引き出す方向に動かすと、内側蓋部と外側蓋部とが相互に離隔する方向に移動されて箱本体部の開口側が開放され、このように操作部をスライドさせるという非常に簡単な操作でもって箱本体部の開口側を開閉することができる。
【００１４】
また、本発明の請求項３に記載の収容箱及び請求項４に記載の収容箱の製作方法によれば、箱本体部の開口側を開閉するための開閉蓋部は、内側蓋部と、この内側蓋部の外側に位置する外側蓋部と、内側蓋部の先端部と外側蓋部の先端部とを接続する先端接続部とを有し、外側蓋部の基部が箱本体部の開口側に接続され、内側蓋部の基部が前記容器本体の開口側に貼付されているので、箱本体部に設けられた操作切欠きを通して開閉蓋部の先端接続部を容易に開放操作することができ、片手でも容易に且つ確実に開放することができる。また、箱本体部には、内側に突出する内突部が設けられ、開閉蓋部には、外側に突出する外突部が設けられているので、箱本体部の開口側を閉じる閉状態では、箱本体部側の内突部と開閉蓋部側の外突部とが係合し、この開閉蓋部を閉状態に確実に保持することができる。
【００１５】
更に、本発明の請求項５に記載の収容箱及び請求項６に記載の収容箱の製作方法によれば、収容空間を規定する内側箱本体部と、この内側箱本体部を覆う外側箱本体部とを備え、内側箱本体部には、外側に突出する外突部が設けられ、外側箱本体部には、その下部に内側に突出する第１内突部が設けられ、その上部に内側に突出する第２内突部が設けられているので、内側箱本体部の収納状態においては、内側箱本体部の底部が外側箱本体部側の第１内突部に当接して収納状態に保持され、またこの収納状態から引き出した引出し状態においては、内側箱本体部側の外突部が外側箱本体部側の第２内突部に当接するので、この引出し状態に保持することができ、このように引出し状態に保持することによって、内側箱本体部に収容された収容物を容易に取り出すことができる。
【図面の簡単な説明】
【００１６】
【図１】本発明に従う収容箱の第１の実施形態を示す斜視図。
【図２】図１の収容箱を開閉蓋部を開放した状態で示す斜視図。
【図３】図１におけるＩＩＩ−ＩＩＩ線による断面図。
【図４】図１の収容箱を展開して示す展開図。
【図５】図１の収容箱を組み立てる途中の状態の一部を示す部分斜視図。
【図６】本発明に従う収容箱の第２の実施形態を示す斜視図。
【図７】図６の収容箱を開閉蓋部を開放した状態で示す斜視図。
【図８】図６におけるＶＩＩＩ−ＶＩＩＩ線による断面図。
【図９】図７におけるＩＸ−ＩＸ線による断面図。
【図１０】図６の収容箱を展開して示す展開図。
【図１１】本発明に従う収容箱の第３の実施形態を示す斜視図。
【図１２】図１１の収容箱の内側箱本体部を引き出した状態で示す斜視図。
【図１３】図１１におけるＸＩＩＩ−ＸＩＩＩ線による断面図。
【図１４】図１２におけるＸＩＶ−ＸＩＶ線による断面図。
【図１５】図１１の収容箱における内側箱本体部の一部を示す部分斜視図。
【図１６】図１１の収容箱における外側箱本体部を展開して示す展開図。
【図１７】図１１の収容箱における内側箱本体部を展開して示す展開図。
【発明を実施するための形態】
【００１７】
以下、添付図面を参照して、本発明に従う収容箱の各種実施形態について説明する。
【００１８】
〈第１の実施形態〉
まず、図１〜図５を参照して、本発明に従う収容箱の第１の実施形態について説明する。図１〜図３において、図示の収容箱２は、外形が直方体形状の箱本体部４と、この箱本体部４の開口側を開閉するための開閉蓋部６とを備えている。箱本体部４は、４つの側壁部８，１０，１２，１４（図４参照）と、これら４つの側壁部８〜１４の下側開口を閉塞する底壁部１６とを有し、これら側壁部８〜１４及び底壁部１６が収容空間１８（図３参照）を規定し、この箱本体部４の上側（側壁部８〜１４の上側開口）が開放されている。
【００１９】
この箱本体部４の背面側の側壁部１２に開閉蓋部６が開閉自在に設けられている。図示の開閉蓋部６は、内側に位置する内側蓋部２０と、この内側蓋部２０の外側に位置する外側蓋部２２とを有し、この内側蓋部２０及び外側蓋部２２の先端部が先端接続部２４により接続され、このように先端接続部２４を設けることにより、後述の記載から理解される如く、開操作する際の操作部位の面積を大きくすることができる。
【００２０】
この外側蓋部２２の基部は、箱本体部４の開口側（即ち、側壁部１２の上端部）に接続され、内側蓋部２０の基部は、箱本体部４の開口側の内面（即ち、側壁部１２の上端より少し下側の部位）に貼付され、このように構成されるので、開閉蓋部６は、全体として断面逆コ字状となっている。
【００２１】
この第１の実施形態では、箱本体部４の前面側の側壁部８の上端に操作切欠き２６が設けられている。この操作切欠き２６は、この側壁部８の上端に一対の切込み２８を入れて折返し部３０（図４参照）を形成し、この折返し部３０を内側に折り返してこの側壁部８の内面に貼付することによって形成される。このように裏側に折り返すことによって、折返し部３０は、側壁部８の内面において内側に突出し、この折返し部３０が内側に突出する内突部３２を構成する。
【００２２】
このように操作切欠き２６を設けると、図１に示すように、この操作切欠き２６を通して開閉蓋部６の先端接続部２４が外部に露呈し、このような状態においては、この先端接続部２４を容易に上方に押し上げることができ、開閉蓋部２４の開操作を例えば片手で容易に行うことができる。
【００２３】
この箱本体部６側の内突部３２に対応して、開閉蓋部６側に外側に突出する外突部３４が設けられている。この形態では、開閉蓋６部の先端接続部２４と内側蓋部２０との接続部の一部が太い実線３６で示すように切断され（展開した状態において、内側蓋部２０の先端部から弧状に先端接続部２４側に突出するように切断される）、このように切断することによって、開閉蓋部６を後述する如く折り曲げて組み立てた状態では、図５に示すように、この切断した部位が内側蓋部２０の先端部から外側に幾分突出し、かかる部位が外突部３４を構成する。
【００２４】
この収容箱２は、図４に示す１枚のシート状部材３８を、例えば次の通りに組み立てて貼付することによって製作することができる。図４において、太い実線は切断された部位であり、また破線は内側に折る部位（内折り部位）であり、一点鎖線は、外側に折る部位（外折り部位）である。このシート状部材３８において、箱本体部６の底壁部１６に続いて底側開閉折り部４０が設けられ、側壁部１２に続いて側壁貼付部４２が設けられ、更に、側壁部１０及び１４の上端部に続いて開口側貼付部４４，４６が設けられ、これらの下端部に続いて底側折り部４８，５０が設けられている。また、開閉蓋部６の内側蓋部２２に続いて蓋貼付部５２が設けられている。
【００２５】
この収容箱２の組立は、例えば、次の通りにして組み立てられる。箱本体部４側の折返し部３０を内側に折り返して側壁部８の内面に貼付し、また開口側貼付部４４，４６を内側に折り返して側壁部１０，１２の内面に貼付する。そして、開閉蓋部６側の内側壁部３２を内折りし、先端接続部２４を内折りし、外側蓋部２０を内落ちし、更に蓋貼付部５２を外折りし、このように外折りした蓋貼付部５２を箱本体部４側の側壁部１２の内面に貼付する。
【００２６】
そして、箱本体部４側の側壁部１４、側壁部８、側壁部１０、側壁部１２及び側壁貼付部４２を順次内折りし、内折りした側壁貼付部４２を側壁部１４の内面に貼付する。その後、底側折り部４８，５０を内折りし、更に底壁部１６及び底側開閉折り部４０を内折りし、内折りした底側開閉折り部４０を側壁部１２の内側に挿入する。最後に、開閉蓋部６を箱本体部６の側壁部８の内側に挿入してその開口側を閉塞し、このようにして図１に示す通りの収容箱を製作することができる。
【００２７】
このように製作した収容箱では、開閉蓋部６の閉状態（図５に示す状態、図１に示す状態から更に少し閉方向に閉じた状態）においては、図５に示すように、開閉蓋部６側の外突部３４が箱本体部４側の内突部３２の下側に位置してこの内突部３２と係合し、箱本体部６の開口側を閉じた状態に保持することができる。この閉状態において、側壁部８の操作切欠き２６を通して指で開閉蓋部２４の前面を押し上げると、箱本体部６側の内突部３２と開閉蓋部６側の外突部３４との係合状態が解除され、更に開方向に回動することによって、図２に示すように、箱本体部６の開口側を大きく開放することができる。
【００２８】
〈第２の実施形態〉
次に、図６〜図１０を参照して、本発明に従う収容箱の第２の実施形態について説明する。図６〜図９において、図示の収容箱１０２は、外形が細長い直方体形状の箱本体部１０４と、箱本体部４にスライド自在に設けられた操作部１０５と、この箱本体部１０４の開口側を開閉するための開閉蓋部６とを備え、この開閉蓋部１０６は、箱本体部１０４と操作部１０５との間に介在されている。箱本体部１０４は、４つの側壁部１０８，１１０，１１２，１１４（図１０参照）と、これら４つの側壁部１０８〜１１４の下側開口を閉塞する底壁部（図示せず）とを有し、これら側壁部１０８〜１１４及び底壁部が収容空間１１８（図８，図９参照）を規定し、この箱本体部１０４の上側（側壁部１０８〜１１４の上側開口）が開放されている。この形態では、図１０に示すように、側壁部１０８，１１０，１１２，１１４の下端側に続いて略台形状の底壁片部１２０，１２２，１２４，１２６が設けられ、これら底壁片部１２０〜１２６を組み合わせることによって、箱本体部６の底壁部が形成される。
【００２９】
操作部１０５は、箱本体部１０４の一端部（開口側端部）を被嵌するように設けられ、操作側壁部１２８（又は１３０，１３２，１３４）は、箱本体部１０４の側壁部１０８（１１０，１１２，１１４）の外側に位置してその一部を覆っている。
【００３０】
この形態では、開閉蓋部１０６は、箱本体部１０４の上端部と操作部１０５の基部との間に位置し、操作部１０５が収納位置（図６及び図８に示す位置）にあるときには、箱本体部６の開口側を閉塞し、この収納位置から引き出した引出し位置（図７及び図９に示す位置）にあるときには、箱本体部１０４の開口側を開放する。
【００３１】
開閉蓋部１０６は、４つの蓋部１３６，１３８，１４０，１４２から構成され、各蓋部１３６（１３８，１４０，１４２）は、内側壁部１４４及び外側壁部１４６から構成されている。この形態では、箱本体部１０４の側壁部１０８と操作部部１０５の操作側壁部２８との間の矩形状部に三角形状の切欠き１５２を設けることによって、蓋部１３６の内側壁部１４４及び外側壁部１４６が設けられ、またその側壁部１１０（１１２，１１４）と操作部１０５の操作側壁部１３０（１３２，１３４）との間の矩形状部に三角形状の開口１５０を設けることによって、蓋部１３８（１４０，１４２）の内側壁部１４４及び外側壁部１４６が形成されている。
【００３２】
開閉蓋部１０６の各蓋部１３６〜１４２は、箱本体部１０４の開口内にく字状に突出し、操作部１０６を収縮位置に向けて移動させたときには、各蓋部１３６〜１４２の内側壁部１４６及び外側壁部１４８が相互に近接する方向に移動し、これにより、それらの先端部が内方に突出移動して箱本体部１０４の開口側を閉塞し、操作部１０５を引出し位置に向けて移動させたときには、それらの内側壁部１４６及び外側壁部１４８が相互に離隔する方向に移動し、これにより、それらの先端部が外方に後退移動して箱本体部１０４の開口側が開放される。
【００３３】
この収容箱１０２は、図１０に示す１枚のシート状部材１５６を、例えば次の通りに組み立てて貼付することによって製作することができる。図１０において、太い実線は切断された部位であり、また破線は内側に折る部位（内折り部位）であり、一点鎖線は、外側に折る部位（外折り部位）である。このシート状部材１５６において、箱本体部１０４の側壁部１０８〜１１４が内折りされ、更に側壁部１１４の外側に設けられた側壁貼付部１５８も内折りされる。
【００３４】
また、箱本体部１０４の側壁部１０８〜１１４の上端部に続く開閉蓋部１０６の各蓋部１３６〜１４２の内側蓋部１４６が内折りされ、それらの各外側蓋部１４８が外折りされる。更に、開閉蓋部１０６の各蓋部１３６〜１４６に続く操作部１０５の各操作側壁部１２８〜１３４は外折りされるとともに、各操作側壁部１２８〜１３４についても外折りされる。尚、操作側壁部１３４の外側に設けられた操作側壁貼付部１６０についても外折りされる。
【００３５】
このように折った状態にて、操作側壁部１２８〜１３４を箱本体部１０４の外側に位置付けて箱状に組み立て、側壁貼付部１５８を側壁部１０８の内側に挿入してこの側壁部１０８の内面に貼付する。また操作側壁貼付部１６０については、操作側壁部１２８の内側に挿入してこの操作側壁部１２８の内面に貼付する。そして、このように貼付した状態にて開閉蓋部１０６の各蓋部１３６〜１４２を所要の通りに組み合わせる。即ち、相互に隣接する蓋部１３６，１３８（１３８，１４０、１４０，１４２、１４２，１３８）において、開口１５０（又は切欠き１５２）が設けられた部位が上側に、開口１５０（又は切欠き１５２）が存在しない部位が下側となるように組み合わされる。
【００３６】
その後、箱本体部１０４の側壁部１０８〜１１４の下端部に続く底壁片部１２０〜１２６が内折りされ、上述したと同様に組み合わせて底壁部が形成され、このようにして収容箱１０２が製作される。
【００３７】
このように製作した収容箱１０２では、箱本体部１０４に対して操作部１０５が相対的にスライド自在であり、開閉蓋部１０６が伸縮する範囲にわたって移動可能である。この操作部１０５を箱本体部１０４に被せる方向に収納位置まで移動させると、図６及び図８に示すように、各蓋部１３６〜１４２の内側壁部１４６及び外側壁部１４８が相互に近接する方向に移動して内方に張り出し、開閉蓋部１０６は箱本体部１０４の開口側を閉塞し、また操作部１０５を引き出して引出し位置まで移動させると、図７及び図９に示すように、蓋部１３６〜１４２の内側壁部１４６及び外側壁部１４８が相互に離隔する方向に移動して外方に後退し、開閉蓋部１０６は箱本体部１０４の開口側を開放し、このように操作部１０５をスライド移動させるという非常に簡単な操作でもって収容箱１０２を開閉することができる。
【００３８】
〈第３の実施形態〉
次に、図１１〜図１７を参照して、本発明に従う収容箱の第３の実施形態について説明する。図１１〜図１４において、図示の収容箱２０２は、外形が直方体形状の外側箱本体部２０４と、この外側箱本体部２０４の開口側を通して挿入される内側箱本体部３０４とを備えている。外側箱本体部２０４は、４つの側壁部２０８，２１０，２１２，２１４（図１６参照）と、これら４つの側壁部２０８〜２１４の下側開口を閉塞する底壁部２１６とを有し、これら側壁部２０８〜２１４及び底壁部２１６が箱収容空間２１８（図１３及び図１４参照）を規定し、この外側箱本体部２０４の上側（側壁部２０８〜２１４の上側開口）が開放され、この開口側を通して内側箱本体部３０４が装着される。
【００３９】
この外側箱本体部２０４は、図１６に示す１枚のシート状部材２５２を、例えば次の通りに組み立てて貼付することによって製作することができる。図１６において、破線は内側に折る部位（内折り部位）である。このシート状部材２５２において、外側箱本体部２０４の底壁部２１６に続いて底側開閉折り部２４０が設けられ、側壁部２０８に続いて側壁貼付部２４２が設けられ、更に、側壁部２１０及び２１４の上端部に続いて開口側折り部２４４，２４６が設けられ、これらの下端部に続いて底側折り部２４８，２５０が設けられている。
【００４０】
この外側箱本体部２０４は、例えば、次の通りにして組み立てられる。箱本体部２０４の側壁部２０８、側壁部２１０、側壁部２１２、側壁部２１４及び側壁貼付部２４２を順次内折りし、内折りした側壁貼付部２４２を側壁部２１４の内面に貼付する。次いで、底側折り部２４８，２５０を内折りし、更に底壁部２１６及び底側開閉折り部２４０を内折りし、内折りした底側開閉折り部２４０を側壁部２０８の内側に挿入する。更に、開口側折り部２４４，２４６を内折りし、内折りした開口側折り部２４４，２４６を箱収容空間２１８内に収容し、このようにして外側箱本体部２０４を製作することができる。
【００４１】
このように製作した外側箱本体部２０４においては、後述するように、内折りした底側開閉折り部２４０が内側に突出する第１内突部として機能し、その先端面が内側箱本体部３０４の底部が当接する当接面として機能し、この第１内突部は外側箱本体部２０４の下部に配置される。また、内折りした開口側折り部２４４，２４６は、内側に突出する第２内突部として機能し、それらの先端面が内側箱本体部３０４側の後述の外突部が当接する当接面として機能する。尚、これら開口側折り部２４４，２４６については、開口側貼付部として構成し、内折りして側壁部２１０，２１４の内面に貼付するようにしてもよい。
【００４２】
再び、図１１〜図１４に戻って内側箱本体部３０４について説明すると、この内側箱本体部３０４は、上述の外側箱本体部２０４と略同様の構成であり、４つの側壁部３０８，３１０，３１２，３１４（図１７参照）と、これら４つの側壁部３０８〜３１４の下側開口を閉塞する底壁部３１６とを有し、これら側壁部３０８〜３１４及び底壁部３１６が収容空間３１８（図１３及び図１４参照）を規定し、この内側箱本体部３０４の上側（側壁部３０８〜３１４の上側開口）が開放されている。
【００４３】
この内側箱本体部３０４は、図１７に示す１枚のシート状部材３５２を、例えば次の通りに組み立てて貼付することによって製作することができる。図１７において、太い実線は切断された部位、また破線は内側に折る部位（内折り部位）である。このシート状部材３５２において、内側箱本体部３０４の底壁部３１６に続いて底側開閉折り部３４０が設けられ、側壁部３０８に続いて側壁貼付部３４２が設けられ、更に、側壁部３１０及び３１４の下端部に続いて底側折り部３４８，３５０が設けられている。
【００４４】
この内側箱本体部３０４は、例えば、次の通りにして組み立てられる。内側箱本体部３０４の側壁部３０８、側壁部３１０、側壁部３１２、側壁部３１４及び側壁貼付部３４２を順次内折りし、内折りした側壁貼付部３４２を側壁部３１４の内面に貼付する。また、底側折り部３４８，３５０を内折りし、更に底壁部３１６及び底側開閉折り部３４０を内折りし、内折りした底側開閉折り部３４０を側壁部３０８の内側に挿入する。
【００４５】
更に、内側箱本体部３０４の側壁部３１０，３１４の一部が太い実線３６２で示すように（この形態では、内側箱本体部３０６の開口側に向けて突出する略半円状に）切断されており、かく切断されることによって形成される上貼付部３６４を外折りして側壁部３１０，３１４の外面に貼付し、かく貼付することによって、かかる上貼付部３６４が外側に突出する外突部として機能し、外側箱本体部２０４側の第２内突部（開口側折り部２４４，２４６）に対応して設けられる。このようにして内側箱本体部３０４が製作され、かく製作された内側箱本体部３０４は、その底部側から外側箱本体部２０４の箱収容空間２１８内に挿入される。
【００４６】
このように製作した収容箱２０２においては、内側箱本体部３０４を外側箱本体部２０４の箱収容空間２１８内に収容した状態において収納位置まで挿入すると、図１１及び図１３に示すように、内側箱本体部３０４の底部（底壁部３１６）が外側箱本体部２０４側の底側開閉折り部２４０（第１内突部）の先端部に当接し、内側箱本体部３０４は、この収納状態に保持される。また、内側箱本体部３０４をこの収納位置から上方に引出し位置まで移動させると、図１２及び図１４で示すように、内側箱本体部３０４側の外突部（上貼付部３６４）が外側箱本体部２０４側の第２内突部（開口側折り部２４４，２４６）の先端部に当接し、この引出し位置を越える移動が阻止され、内側箱本体部３０４がこの引出し位置に保持される。この引出し位置においては、内側箱本体部３０４の上部が外側箱本体部２０４の開口側から大きく突出し、内側箱本体部３０４に収容された収容物を容易に取り出すことが可能となる。
【００４７】
以上、本発明に従う収容箱の各種実施形態について説明したが、本発明はかかる実施形態に限定されるものではなく、本発明の範囲を逸脱することなく種々の変更乃至修正が可能である。
【符号の説明】
【００４８】
２，１０２，２０２  収容箱
４，１０４  箱本体部
６，１０６  開閉蓋部
２０４  外側箱本体部
３０４  内側箱本体部
【図１】
2018070189.tif 000003
【図２】
2018070189.tif 000004
【図３】
2018070189.tif 000005
【図４】
2018070189.tif 000006
【図５】
2018070189.tif 000007
【図６】
2018070189.tif 000008
【図７】
2018070189.tif 000009
【図８】
2018070189.tif 000010
【図９】
2018070189.tif 000011
【図１０】
2018070189.tif 000012
【図１１】
2018070189.tif 000013
【図１２】
2018070189.tif 000014
【図１３】
2018070189.tif 000015
【図１４】
2018070189.tif 000016
【図１５】
2018070189.tif 000017
【図１６】
2018070189.tif 000018
【図１７】
2018070189.tif 000019